(57)【要約】【課題】全体が薄肉であると共に、ベースに対してマグネットを強固に固定できるマグネットマーカーを提供することにある。【解決手段】上面に装飾面２２を有するベース２１の下面にマグネット２５を設けたマグネットマーカーにおいて、ベース２１の下面側に凹陥部２４を設け、この凹陥部２４にマグネット２５を収容した状態で前記ベース２１に固定したことを特徴とする。【選択図】図１
0003111243.tif 000002
【実用新案登録請求の範囲】
【請求項１】
上面に装飾面を有するベースの下面にマグネットを設けたマグネットマーカーにおいて、
前記ベースの下面側に凹陥部を設け、この凹陥部にマグネットを収容した状態で前記ベースに固定したことを特徴とするマグネットマーカー。
【請求項２】
上面に装飾面を有するベースの下面にマグネットを設けたマグネットマーカーにおいて、
前記ベースに、その肉厚方向に貫通する貫通穴を設け、この貫通穴にマグネットを収容した状態で前記ベースに固定したことを特徴とするマグネットマーカー。
【請求項３】
前記ベースの下面とマグネットの下面とを略面一にしたことを特徴とする請求項１または２記載のマグネットマーカー。
【考案の詳細な説明】
【技術分野】
【０００１】
この考案は、ゴルフプレーヤーがグリーン上でパッティングする前に、グリーン上に自己のゴルフボールの位置を標示するために用いるマグネットマーカーに関する。
【背景技術】
【０００２】
ゴルフ競技は、複数のゴルフプレーヤーが自己のゴルフボールをゴルフクラブによって打ち、ティーグランドからグリーンまで運んでグリーン上のホールに入れる競技であるため、グリーン上には各ゴルフプレーヤーのゴルフボールが集まる。
【０００３】
グリーン上では、ゴルフボールに付着した汚れを取り除くために自己のゴルフボールを拾い上げることが認められ、また、他のゴルフプレーヤーがパッティングする際に、自己のゴルフボールがパッティングの邪魔にならないように拾い上げることが認められている。
【０００４】
従って、グリーン上でゴルフボールを拾い上げる際に、自己のゴルフボールの位置を標示するために、グリーン上にゴルフボールに代ってマーカーを置き、他人のゴルフボールの位置と間違わないようにしている。
【０００５】
マーカーの種類にはグリーン上の芝生に刺し込むピンを有したもの、グリーン上の芝生に置くコインタイプのものがある。最近ではコインタイプのもので、マーカーのベース下面にマグネットを固定し、不使用時には帽子の庇（鍔）に取付けたマーカーホルダに磁気吸着できるようにしたマグネットマーカーが普及している。
【０００６】
マグネットマーカーは、グリーン上から拾い上げて帽子の庇に取付けたマーカーホルダにワンタッチで固定できること、次に使用するときに探す煩わしさがなく、マーカーホルダから即座に取り出せるなどの便利な点で多くのゴルフプレーヤーに愛用されている。
【考案の開示】
【考案が解決しようとする課題】
【０００７】
ところで、従来のマグネットマーカーは、図３に示すように構成されている。すなわち、金属材料等からなる円板状のベース１１の上面にはプレス加工、印刷あるいは貼り合せ等によって装飾面１２を施した装飾板１３が設けられている。ベース１１の下面における中央部には円板状のマグネット１４が接着剤等によって固定されている。
【０００８】
そして、パッティングの際には、グリーン上からマグネットマーカー１５を拾い上げ、図４に示すように、帽子１６の庇（鍔）１７に取付けた金属製のマーカーホルダ１８に、マグネット１４の磁気吸着力を利用して固定している。
【０００９】
しかし、従来のマグネットマーカー１５は、マグネット１４がベース１１の下面から突出した構造であり、マグネットマーカー１５の全体が肉厚になっている。また、マグネット１４がベース１１の下面から突出しているために引きかかり易く、マグネット１４がベース１１から剥離して脱落し易いという問題がある。
【００１０】
この考案は、前記事情に着目してなされたもので、全体が薄肉であると共に、ベースに対してマグネットを強固に固定できるマグネットマーカーを提供することを目的とする。
【課題を解決するための手段】
【００１１】
この考案は、前述した目的を達成するために、請求項１は、上面に装飾面を有するベースの下面にマグネットを設けたマグネットマーカーにおいて、前記ベースの下面側に凹陥部を設け、この凹陥部にマグネットを収容した状態で前記ベースに固定したことを特徴とする。
【００１２】
請求項２は、上面に装飾面を有するベースの下面にマグネットを設けたマグネットマーカーにおいて、前記ベースに、その肉厚方向に貫通する貫通穴を設け、この貫通穴にマグネットを収容した状態で前記ベースに固定したことを特徴とする。
【００１３】
請求項３は、請求項１または２記載の前記ベースの下面とマグネットの下面とを略面一にしたことを特徴とする。
【考案の効果】
【００１４】
この考案によれば、ベースに対してマグネットが突出することなく固定でき、全体を薄肉に構成できる。また、ベースに対してマグネットを簡単にしかも強固に固定でき、マグネットの脱落を防止できるという効果がある。
【考案を実施するための最良の形態】
【００１５】
以下、この考案の実施の形態を図面に基づいて説明する。
【００１６】
図１はマグネットマーカーの第１の実施形態を示し、（ａ）は下面側から見た分解斜視図、（ｂ）は縦断側面図である。図１に示すように、金属材料等からなる円板状のベース２１の上面にはプレス加工、印刷あるいは貼り合せ等によって装飾面２２を施した装飾板２３が設けられている。ベース２１の下面側における中央部には円形の凹陥部２４が設けられている。そして、凹陥部２４には円板状のマグネット２５が収容した状態で固定され、全体として薄肉に構成されている。
【００１７】
マグネット２５は凹陥部２４と略同形状で、凹陥部２４の深さに略等しい肉厚に形成され、マグネット２５の下面２５ａはベース２１の下面２１ａと略面一に形成されている。マグネット２５はベース２１の凹陥部２４に対して接着あるいは圧入によって固定されているが、ベース２１に凹陥部２４が設けられているためにマグネット２５の位置決めがし易く組立てが簡単である。なお、ベース２１に対するマグネット２５の固定手段は接着あるいは圧入に限定されるものではない。
【００１８】
図２はマグネットマーカーの第２の実施形態を示し、（ａ）は下面側から見た分解斜視図、（ｂ）は縦断側面図である。図２に示すように、金属材料等からなる円板状のベース２１の上面にはプレス加工、印刷あるいは貼り合せ等によって装飾面２２を施した装飾板２３が設けられている。ベース２１の中央部にはベース２１の肉厚方向に貫通する円形の貫通穴２６が設けられている。そして、貫通穴２６には円板状のマグネット２５が収容した状態で固定され、全体として薄肉に構成されている。
【００１９】
マグネット２５は貫通穴２６と略同形状で、ベース２１の肉厚に略等しく、マグネット２５の下面２５ａはベース２１の下面２１ａと略面一に形成されているため、第１の実施形態よりさらに薄肉に形成できる。マグネット２５はベース２１の貫通穴２６の内周面に対して接着あるいは圧入によって固定されているが、ベース２１に貫通穴２６が設けられているためにマグネット２５の位置決めがし易く組立てが簡単である。なお、ベース２１に対するマグネット２５の固定手段は接着あるいは圧入に限定されるものではない。
【００２０】
また、前記実施形態では円板状のマグネットマーカー、マグネットについて説明したが、マグネットマーカー、マグネットの形状は、四角形、多角形等、その形状は限定されるものではない。
【図面の簡単な説明】
【００２１】
【図１】この考案の第１の実施形態のマグネットマーカーを示し、（ａ）は下面側から見た分解斜視図、（ｂ）は縦断側面図。
【図２】この考案の第２の実施形態のマグネットマーカーを示し、（ａ）は下面側から見た分解斜視図、（ｂ）は縦断側面図。
【図３】従来のマグネットマーカーを示し、（ａ）は下面側から見た分解斜視図、（ｂ）は縦断側面図。
【図４】マグネットマーカーを帽子のマーカーホルダに固定した状態の斜視図。
【符号の説明】
【００２２】
２１…ベース、２２…装飾面、２４…凹陥部、２５…マグネット、２６…貫通穴
【図１】
0003111243.tif 000003
【図２】
0003111243.tif 000004
【図３】
0003111243.tif 000005
【図４】
0003111243.tif 000006